(57)【要約】【課題】ＡＶストリームの時刻情報とアドレス情報を関連付ける情報（エントリ情報）は、ＡＶストリームの特殊再生やランダムアクセスを行う際に非常に有用である。エントリ情報は、その作成間隔が短いほど、ＡＶストリームの任意の位置へのアクセス性能が向上する。しかし、登録可能なエントリ情報の総数には規格上の上限値が定められる場合があり、短い間隔で画一的にエントリ情報を作成した際には、特に低ビットレートのストリームを長時間記録する場合において、記録媒体の記憶容量を使い切る前にエントリ情報の登録数が上限に達し、それ以上の記録が不可能になるという問題があった。【解決手段】エントリ情報の作成と記録を行う際に、映像情報のビットレート、記録媒体の種別や容量、記録済みの管理情報の状態に応じて管理情報の記録間隔を制御する。【選択図】図２
2008234692.tif 000002
【特許請求の範囲】
【請求項１】
映像、音声、データ等を含むデジタルデータを、該デジタルデータの管理情報とともに記録媒体に記録する情報記録装置であって、
該デジタルデータを解析する情報解析手段と、
前記情報解析手段の解析結果に基づき、該デジタルデータの管理情報を作成する管理情報作成手段と、
前記管理情報作成手段で作成した管理情報を記憶する記憶手段と、
該デジタルデータの伝送レートを検出する伝送レート検出手段と、
記録媒体の空き記憶容量や記録媒体の種別を検出する記録媒体情報検出手段と、
前記伝送レート検出手段で検出された伝送レートと、前記記録媒体情報検出手段で検出された空き記憶容量や記録媒体の種別に応じて、前記管理情報の間隔を制御する管理情報記録間隔制御手段と、
該デジタルデータと、前記管理情報記録間隔制御手段により間隔を制御された前記管理情報とを記録媒体に記録する記録手段と、
を備えることを特徴とする情報記録装置。
【請求項２】
映像、音声、データ等を含むデジタルデータを、該デジタルデータの管理情報とともに記録媒体に記録する情報記録方法であって、
該デジタルデータを解析する情報解析ステップと、
前記情報解析ステップの解析結果に基づき、該デジタルデータの管理情報を作成する管理情報作成ステップと、
前記管理情報作成ステップで作成した管理情報を記憶する記憶ステップと、
該デジタルデータの伝送レートを検出する伝送レート検出ステップと、
記録媒体の空き記憶容量や記録媒体の種別を検出する記録媒体情報検出ステップと、
前記伝送レート検出手段で検出された伝送レートと、前記記録媒体情報検出ステップで検出された空き記憶容量や記録媒体の種別に応じて、前記管理情報の間隔を制御する管理情報記録間隔制御ステップと、
該デジタルデータと、前記管理情報記録間隔制御ステップにより間隔を制御された前記管理情報とを記録媒体に記録する記録ステップと、
を含むことを特徴とする情報記録方法。
【発明の詳細な説明】
【技術分野】
【０００１】
本発明は、光ディスク等の記録媒体を利用し、動画像等のデジタルデータを記録する情報処理装置及び情報処理方法に関するものである。
【背景技術】
【０００２】
近年、記録媒体の大容量化や通信ネットワークにおける伝送技術の進歩に伴い、動画や音声などを符号化したデジタルデータを扱う機器やサービスが普及してきた。例えば、放送分野では、従来のアナログ放送に代わり、デジタル符号化技術を利用したデジタル放送が主流になりつつある。また、ビデオカメラの分野においても、従来のＶＨＳ−Ｃや８ミリビデオ等のアナログ記録を行うビデオカメラに代わり、ＤＶＤ−ＲＡＭ（Ｄｉｇｉｔａｌ  Ｖｅｒｓａｔｉｌｅ  Ｄｉｓｃ−Ｒｅｗｒｉｔａｂｌｅ）等の光ディスクやＳＤ（Ｓｅｃｕｒｅ  Ｄｉｇｉｔａｌ）カード等のメモリーカードに符号化した映像を記録するデジタルビデオカメラが市場で大勢を占めている。これらの背景を鑑みると、ＢＤ（Ｂｌｕ−ｒａｙ  Ｄｉｓｃ）、ＤＶＤ−ＲＡＭ、ＳＤカード等の記録媒体に、放送やプライベートビデオを記録し、機器間でデジタルデータを共有する利用方法が今後一層加速すると見込まれる。
【０００３】
ＢＤ等の記録媒体にＡＶストリーム等のデジタルデータを記録する手段として、デジタルデータそのものに加えて、デジタルデータの管理情報を記録する規格が提案されている。（例えば、（非）特許文献１参照。）
図１はＡＶストリームの記録装置１０１の構成を示すブロック図である。記録装置１０１は、ＡＶストリームの特徴となる情報を取得するＡＶストリーム解析部１０２、特徴となる情報から規格に応じたＡＶストリームの管理情報を作成する管理情報作成部１０３、ＡＶストリームと、ＡＶストリームの管理情報を記録媒体１００に記録するデータ記録部１０４から構成される。なお、記録装置では一般的に、ＡＶストリームのビットレートや符号化方式を変換するＡＶストリーム変換部、著作権保護されたストリームの暗号化・復号化等を行う暗号変換部等を備えることが多いが、本発明には直接関係しないため説明を省略する。
【０００４】
ＡＶストリームの管理情報、特にＡＶストリーム中の時刻情報とアドレス情報を関連付ける情報（エントリ情報）は、ＡＶストリームの特殊再生やランダムアクセスを行う際に非常に有用である。管理情報を用いてランダムアクセスを行う際には、まず表示したい時刻に近いエントリ情報からＡＶストリームのデータにアクセスし、以降はデータ中の情報を順次取得して表示したい時刻のデータを探索する。したがって、エントリ情報の間隔が短いほど（例えばＭＰＥＧ２のＩピクチャ毎にエントリ情報を登録するなど）、データ中の情報を順次確認し探索する量が減少するため、ランダムアクセスが速くかつ容易に実施できる。
【特許文献１】特開２００２―１５８９７１号公報
【発明の開示】
【発明が解決しようとする課題】
【０００５】
エントリ情報は、その作成間隔が短いほど、ＡＶストリームの任意の位置へのアクセス性能が向上する。しかし、登録可能なエントリ情報の総数には規格上の上限値が定められる場合がある。したがって、短い間隔で画一的にエントリ情報を作成した際には、特に低ビットレートのストリームを長時間記録する場合において、記録媒体の記憶容量を使い切る前にエントリ情報の登録数が上限に達し、それ以上の記録が不可能になるという問題があった。
【課題を解決するための手段】
【０００６】
本発明は、上記の課題を解決するためになされたものである。本発明は、従来の記録装置の構成に加えて、作成した管理情報を一時的に保存するメモリ２０５、管理情報記録間隔制御部２０６、ビットレート検出部２０７、記録媒体情報取得部２０８、管理情報取得部２０９を備えることを特徴とする記録装置である。
【０００７】
また、管理情報の作成と記録を行う際に、映像情報のビットレート、記録媒体の種別や容量、記録済みの管理情報の状態に応じて管理情報の記録間隔を制御することを特徴とする記録方法である。
【発明の効果】
【０００８】
本発明による情報記録装置と情報記録方法は、ＡＶストリームのビットレートや記録媒体の容量に応じてエントリ情報の登録間隔を制御するため、記録媒体の記憶容量を使い切りつつ、ランダムアクセス時の処理性能も最大限確保できるという利点がある。
【０００９】
また、本発明による情報記録装置と情報記録方法は、ＡＶストリームの平均ビットレートを算出してエントリ情報の登録間隔を決定するため、途中でビットレートが変化するＡＶストリームであっても登録間隔が均一になり、特殊再生時の違和感が緩和できるという利点がある。
【発明を実施するための最良の形態】
【００１０】
図２は、本発明装置の実施の形態の構成を示すブロック図である。本発明の記録装置２０１は、ＡＶストリーム解析部１０２、管理情報作成部１０３、データ記録部１０４、メモリ２０５、管理情報記録間隔制御部２０６、ビットレート検出部２０７、記録媒体情報取得部２０８、管理情報取得部２０９から構成される。ここで、従来の記録装置１０１と同一の動作をする部分については、同一符号を付す。また、本発明の主体はエントリ情報の記録間隔の制御方法にあるため、ＡＶストリームの解析方法、管理情報の作成方法、およびデータ記録方法等の詳細に関する説明は省略する。
【００１１】
まず、記録媒体の種別と容量、記録済みの管理情報を取得する。
【００１２】
次に、ＡＶストリームの記録と解析を行う。ＡＶストリーム解析部では、ＡＶストリームのエントリ点（例えばＭＰＥＧ２  ＶｉｄｅｏのＩピクチャ等）の位置と時間情報を抽出する。管理情報作成部ではエントリ点の情報から規格に合わせたＡＶストリームの管理情報を作成する。作成した管理情報は一時的にメモリにバッファリングする。なおこの間、ＡＶストリームは記録手段により順次記録媒体に記録する。
【００１３】
すべてのＡＶストリームの記録と解析が終了すると、続いて管理情報の記録間隔の算出を行う。記録したＡＶストリームの容量と時間（ＡＶストリームの平均ビットレート）を取得し、先立って取得した記録媒体の種別と容量、記録済みの管理情報と併せて、次のようにしてエントリ情報の記録間隔を算出する。
【００１４】
（算出方法１）下記の数式１によりエントリ情報の記録間隔を算出する。
【００１５】
【数１】
2008234692.tif 000003
【００１６】
上式に従いエントリ情報の記録間隔を決定することで、記録媒体の容量に対してほぼ均一にエントリ情報を記録することができる。記録媒体が書き換え可能な種別である際に上式を利用することで、ビットレートが互いに異なるＡＶストリームの削除と再記録を繰り返した際にも偏りなくエントリ情報を記録することができる。
【００１７】
（算出方法２）下記の数式２によりエントリ情報の記録間隔を算出する
【００１８】
【数２】
2008234692.tif 000004
【００１９】
例えば、記録媒体にあらかじめビットレートの高いＡＶストリームが記録されていた場合には、記録媒体の残り容量に比べてエントリ情報の残り登録可能数が大きくなる。特に記録媒体が一回だけ書き込み可能な種別であった場合には、基本的に記録済みのＡＶストリームを削除して空き領域を再利用する事がないため、上式を利用して、記録媒体の残り記録容量とエントリ情報の残り登録可能数からより適した記録間隔を算出することができる。
【００２０】
最後に、算出した登録間隔に従って、エントリ情報を適宜間引きながら記録媒体に記録する。メモリからエントリ情報を取得する。先頭のエントリ情報であった場合には記録媒体に記録する。以降はメモリから取得したエントリ情報と前回記録したエントリ情報との時間情報の差が、記録間隔Ｔより大きい場合には記録媒体に記録する。
【００２１】
以上により、低ビットレートのストリームを長時間記録する際にも、特殊再生を可能としながら、ディスク容量を余すことなく記録することが可能となる。また、ストリームの瞬間的なビットレートに合わせて逐次的にエントリ情報の記録間隔を決定する方法と比べ、ストリームのビットレートが番組の途中で変化した場合、たとえばＨＤ放送からＳＤ放送への切り替えが発生した際にも、番組全体で等間隔にエントリ情報が作成される。これにより、ユーザがコマ戻し等の特殊再生操作を行う際にも、映像の表示間隔が均一であるため、違和感が解消される。
【産業上の利用可能性】
【００２２】
本発明にかかる情報記録装置及び方法は、記録媒体にＡＶストリーム等のデジタルデータを記録する手段として、デジタルデータそのものに加えて、デジタルデータのエントリ情報を記録する方法を用いている機器全般に適用することが可能である。特に、ＢＤ等の大容量記録媒体に低ビットレートのＡＶストリームを長時間記録する際に有効である。
【図面の簡単な説明】
【００２３】
【図１】従来の記録装置１０１の構成を示すブロック図
【図２】本発明の記録装置２０１の構成を示すブロック図
【図３】本発明の記録装置２０１の動作を示すフローチャート
【符号の説明】
【００２４】
１００    記録媒体
１０１    従来の記録装置
１０２    情報解析手段
１０３    管理情報作成手段
１０４    記録手段
２０１    音声信号符号化手段
２０５    一時記憶手段
２０６    管理情報記録間隔制御手段
２０７    ビットレート検出手段
２０８    記録媒体情報取得手段
２０９    管理情報取得手段
【図１】
2008234692.tif 000005
【図２】
2008234692.tif 000006
【図３】
2008234692.tif 000007